(57)【要約】  【課題】  この発明は、紙等のシート状のパーツを組立てて立体構造物とする立体パズル構造において、外表面への接合部の露出をなくしつつ、さらに組み立てた際の結合強度を確実に高めることができる立体パズル構造を提供することを目的とする。  【解決手段】  凸状シート体１と凹状シート体２は、凸状シート体１の突出部１４を、凹状シート体２の没入部２４に差し込むよう嵌合することで連結固定する。    【選択図】  図３
2006320390.tif 000002
【特許請求の範囲】
【請求項１】
複数のシート体を組み合せて、立体構造物を組み立てる立体パズル構造であって、
前記シート体を、所定形状に形成され、外表面に位置して化粧面となる第一シート部材と、
該第一シート部材と同一形状で形成され、内側面に位置して基盤となる第二シート部材と、
該第一シート部材と第二シート部材との間に位置して、周縁に凹部又は凸部が形成された第三シート部材と、を重畳して構成した
立体パズル構造。
【請求項２】
前記シート部材を、紙製とした
請求項１記載の立体パズル構造。
【請求項３】
前記第三シート部材の凹部又は凸部を、前記所定形状の各辺に形成した
請求項１又は２記載の立体パズル構造。
【請求項４】
前記第二シート部材の剛性を、他のシート部材の剛性よりも高めた
請求項１〜３記載の立体パズル構造。
【発明の詳細な説明】
【技術分野】
【０００１】
この発明は、立体パズル構造に関し、特に紙などの柔軟性を有するシート状のピースを複数組合せて、立体構造物を組み立てる立体パズル構造に関する。
【背景技術】
【０００２】
従来から、平面パズルとしては、一般に、周縁部に複数の凹凸部を形成したピースを組み合わせることで所定の絵画等を組立てるジグソウパズルが知られており、近年では、このジグソウパズルを立体球体に応用して、立体パズルとして構成するものも提案されている。
【０００３】
しかし、立体パズルにおいては、平面パズルよりも組み立てた際の結合強度（組み立て剛性）が要求されるため、単にピース周縁の凹凸部を組み合わせるだけでは、組み立てた際の剛性が確保できない可能性がある。また、組み立て完成後には、構造物の外表面に凹凸部が露出するため、外観を損ねるといった問題もあった。
【０００４】
これに対し、下記特許文献１では、立体パズル構造において、各ピースの周縁部の裏面側に接続片と嵌合溝を設け、パズルを組み立てた状態で、接合片と嵌合溝が外部に露出しないように構成したものが提案されている。
【０００５】
この特許文献１によると、パズルを組み立てた状態で、接合片と嵌合溝がピース裏面に位置するため、外観を損ねるといった問題を解消でき、また、一方のピースの接続片が、他方のピースの表面側と嵌合溝の両側の三方で支持されるため、結合強度（組立て剛性）も高めることができる。
【０００６】
【特許文献１】特開２００３−１７５２７０号公報
【発明の開示】
【発明が解決しようとする課題】
【０００７】
ところで、最近では、紙等のシート状の素材から切断したパーツを組み立てて、立体模型を作るペーパークラフトが盛んである。このペーパークラフトにおいては、各パーツ同士を固定するために、パーツ周縁に接合片（のりしろ）を設け、この接合片を各パーツの裏面等に接合することで立体模型を構成している。このため、こうしたシート状のパーツを利用して、立体パズルのピースとして用いるものはなかった。
【０００８】
仮に、こうした紙等のシート状のパーツを、立体パズルのピースとして用いる場合には、接合固定によらずにパーツ同士を固定する結合構造を採用する必要があり、例えば、前述の特許文献１の構造を採用することが考えられる。
【０００９】
しかしながら、特許文献１の構造は、硬質の樹脂製のピースを前提としており、接合片を嵌合溝の三方で支持して固定しているだけなので、柔軟性を有するシート状のパーツ同士を固定するには、十分な結合強度を確保をできないという問題がある。
【００１０】
そこで、本発明は、紙等のシート状のパーツを組み合わせ立体構造物とする立体パズル構造において、外表面への接合部の露出をなくしつつ、さらに組み立てた際の結合強度を確実に高めることができる立体パズル構造を提供することを目的とする。
【課題を解決するための手段】
【００１１】
この発明の立体パズル構造は、複数のシート体を組み合せて、立体構造物を組み立てる立体パズル構造であって、前記シート体を、所定形状に形成され、外表面に位置して化粧面となる第一シート部材と、該第一シート部材と同一形状に形成され、内側面に位置して基盤となる第二シート部材と、該第一シート部材と第二シート部材との間に位置して、周縁に凹部又は凸部が形成された第三シート部材とを重畳して構成したものである。
【００１２】
上記構成によれば、シート体は、化粧面となる第一シート部材と、基盤となる第二シート部材と、凹部又は凸部を周縁に形成した第三シート部材の少なくとも三枚を重畳して構成されることになり、第一シート部材と第二シート部材の間に位置（介装）する第三シート部材の凹部と凸部によって、各シート体同士を結合することになる。
【００１３】
このため、一方のシート体の第三シート部材の凸部は、結合した状態で、他方のシート体の第一シート部材、第二シート部材及び第三シート部材の凹部で、その全周囲（四方位置）が支持されることになり、各シート体間の結合剛性が高まることになる。
【００１４】
また、この凸部と凹部は、各シート体を組み立てた状態では、第一シート部材によって完全に覆われるため、外部に露出することもない。
【００１５】
なお、上記シート体は、三枚を重畳して構成するようにしているが、このように三枚に限定されるものではなく、四枚以上を重畳して構成されるものであってもよい。
【００１６】
また、各シート部材の素材も「紙製」に限定されるものではなく、ポリエチレン・ペレフタレート（ＰＥＴ）等の樹脂製シートや、革製シート、又は剛性を高めた布製シート、木材等の繊維製シート、さらには金属製シート等であってもよい。
【００１７】
さらに、凸部と凹部の形状も、どのようなものであってもよいが、適切に結合力を高めるためには、略矩形形状とするのが好ましい。
【００１８】
加えて、シート部材の形状も平面形状に限定されるものではなく、凹凸を有する曲面形状であってもよい。
【００１９】
この発明の一実施態様においては、前記シート部材を、紙製としたものである。
【００２０】
上記構成によれば、シート部材が紙製であるため、第三シート部材の凸部を容易に折り曲げ、形状を維持することができ、また、表面の摩擦力も適切に発生させることができる。
【００２１】
このため、各シート体をパズルのピースとして組み立てる際に、差し込み位置や角度を自由に変更して組み付けを行うことができ、また、組み立てた後も、凸部が凹部等によって囲まれる結合位置から外れることが防止できる。
【００２２】
よって、立体パズルとしての組み立て性を向上することができ、組み立て完成後の結合強度も高めることができる。
【００２３】
この発明の一実施態様においては、前記第三シート部材の凹部又は凸部を、前記所定形状の各辺に形成したものである。
【００２４】
上記構成によれば、凹部と凸部とを、シート体の各辺に形成することで、シート体の各辺が隣接するシート体の各辺と確実に結合することになる。
【００２５】
このため、全体のシート体の結合強度が高まり、全体として、完成した際の立体パズルの剛性を高めることができる。
【００２６】
よって、立体パズルの組み立て完成時の剛性をより高めることができる。
【００２７】
なお、敢えて開口を設けるような場合（例えば、貯金箱の投入口を設けるような場合）には、凸部を設けないようにしてもよい。
【００２８】
この発明の一実施態様においては、前記第二シート部材の剛性を、他のシート部材の剛性よりも高めたものである。
【００２９】
上記構成によれば、第二シート部材の剛性が、他のシート部材の剛性よりも高まり、第三シート部材の基盤としての働きがより高まることになる。
【００３０】
このため、各シート体の面剛性がさらに高くなり、立体パズルの面剛性を高めることができる。
【００３１】
よって、紙等のシート部材で立体パズルのピースを構成したとしても、立体パズルの全体剛性を高めることができる。
【発明の効果】
【００３２】
この発明によれば、一方のシート体の第三シート部材の凸部は、結合した状態で、他方のシート体の第一シート部材、第二シート部材及び第三シート部材の凹部で、その全周囲（四方位置）が支持されることになり、各シート体間の結合剛性が高まることになる。
【００３３】
また、この凸部と凹部は、各シート体を組み立てた状態で、第一シート部材によって完全に覆われるため、外部に露出することもない。
【００３４】
したがって、紙等のシート状のパーツを組み合せて立体構造物とする立体パズル構造において、外表面への接合部の露出をなくしつつ、さらに組み立てた際の結合強度を確実に高めることができる。
【発明を実施するための最良の形態】
【００３５】
以下、図面に基づいて本発明の実施形態を詳述する。
【００３６】
まず、図１〜図３により、本発明の立体パズル構造の概念構造について説明する。図１は立体パズルの「ピース」を構成する凸状シート体１の組み立て図であり、図２は同様に「ピース」を構成する凹状シート体２の組み立て図、図３はこの凸状シート体１と凹状シート体２の組み合わせる際の説明図である。
【００３７】
凸状シート体１は、図１に示すように、外表面に位置して化粧面となる化粧シート１１と、内側面に位置して基盤となるベースシート１２と、この両シート１１，１２の間に位置してシート体１，２間の連結を行う連結シート１３との三枚で構成し、この三枚１１，１２，１３を重畳して接着することで構成している。
【００３８】
具体的には、各シート１１，１２，１３は、まず、（ａ）のように、素材である所定の紙Ｐ（所定の厚みを有する厚紙等）に描かれた状態から、（ｂ）に示すように、所定形状（例えば、略ホームベース形状の五角形形状）に切り出すことで構成する。
【００３９】
化粧シート１１とベースシート１２は、まったく同一形状の五角形形状に切り出し、連結シート１３は、この五角形形状に付加して凸状の突出部１４…を各辺に一つずつ設けた形状で切り出している。
【００４０】
こうして切り出した各シート１１，１２，１３を、（ｃ）に示すように、上から化粧シート１１、連結シート１３及びベースシート１２の順で重畳して、接着剤等（図示せず）で接合することで、（ｄ）に示すように、一つの凸状シート体１として構成している。
【００４１】
これにより、凸状シート体１は、連結シート１３の突出部１４…のみがベースシート１２や化粧シート１１の側縁部から外方側に突出した状態で構成されることになる。
【００４２】
一方、凹状シート体２も、図２に示すように、化粧面となる化粧シート２１と、基盤となるベースシート２２と、連結を行う連結シート２３との三枚で構成し、この三枚を重畳して接着することで構成している。
【００４３】
この凹状シート体２の各シート２１，２２，２３も、（ａ）のように、素材である所定の紙Ｐに描かれた状態から、（ｂ）に示すように、所定形状（例えば、略長方形形状）に切り出すことで構成する。
【００４４】
この凹状シート体２においても、化粧シート２１とベースシート２２は、まったく同一形状の長方形形状に切り出し、連結シート２３は、この長方形形状に付加して、凹状の没入部２４…を各辺に一つずつ形成した形状で切り出している。
【００４５】
そして、各シートを、（ｃ）に示すように、上から化粧シート２１、連結シート２３及びベースシート２２の順で重畳して、接着剤等で接合することで、（ｄ）に示すように、一つの凹状シート体２として構成している。
【００４６】
これにより、凹状シート体２は、連結シート２３の没入部２４のみがベースシート２２や化粧シート２１の側縁部から内方に没入した状態で構成されることになる。
【００４７】
このようにして構成された、凸状シート体１と凹状シート体２は、図３に示すように凸状シート体１の突出部１４を、凹状シート体２の没入部２４に差し込むよう嵌合することで連結固定する。
【００４８】
凸状シート体１の突出部１４を嵌合した場合には、没入部２４の上下位置（図３の上下方向）に化粧シート１１とベースシート１２とが、それぞれ存在するため、没入部２４部分による嵌合固定のみならず、突出部１４の上下面についても、ベースシート２２と化粧シート２１によって挟まれた状態となり、表面の摩擦抵抗とも相俟って、ある程度高い結合強度（嵌合強度）をもって連結固定されることになる。
【００４９】
また、このように、凸状シート体１の突出部１４が凹状シート体２の没入部２４に嵌合することで、化粧シート１１に覆われて、連結部分が外部に露出しないことになる。このため、立体パズルとして組み立てた状態で、外観の見栄えを損なうことを防ぐことができる。
【００５０】
さらに、突出部１４が紙で構成されることから、容易に折り曲げて、その形状を維持できるため、各シート体１，２同士の結合角度を自由に変更して結合することも可能である。
【００５１】
なお、突出部１４の形状は、図３に示すように矩形形状にするのが望ましい。なぜなら、凹状シート体２側への侵入量（長さ）を最小限にしつつも、ベースシート２２と化粧シート２１との間で接触する接触面積を最大限に確保でき、摩擦力による嵌合強度を高めることができるからである。
【００５２】
次に、図４〜図１１で、より具体的な立体パズル構造の実施形態について説明する。この立体パズル構造は、消防車Ｖ（図１１参照）を組み立てる立体パズルであり、図４〜図６が各シート体を構成する各種シートの全体図で、図７〜図１１がパズルの組み立て手順の一部を示した斜視図である。なお、図７〜図１１の化粧シート１１の模様は、ハッチングで示して省略する。
【００５３】
図４及び図５には、消防車Ｖの車体部分Ｃ（図１１参照）のシート体の全体図を示している。（イ）の領域のシートがベースシート類３２…であり、（ロ）の領域のシートが連結シート類３３…であり、（ハ）の領域のシートが化粧シート類３１…である。
【００５４】
また、図６には、消防車Ｖのハシゴ部分Ｂ（図１１参照）のシート体の全体図を示しており、同様に、（イ）の領域がベースシート類４２…であり、（ロ）の領域が連結シート類４３…であり、（ハ）の領域が化粧シート類４１…である。
【００５５】
このように、切り出されたシートを、前述したように、ベースシート３２，４２、連結シート３３，４３、及び化粧シート３１，４１の順番で、三枚一組に重畳して接合する。これにより、立体パズルを構成する各シート体（パズルの各ピース）を構成する。
【００５６】
なお、各シート体のシートは、それぞれの領域で対応する位置にあるもの同士を組合せて接合する。  
例えば、図４であれば、車体の右側面に対応するシート体は、右側面ベースシート３２ａと、右側面連結シート３３ａと、右側面化粧シート３１ａとを重畳して接合することで構成する。また、図５であれば、車体の前面に対応するシート体は、前面ベースシート３２ｂと、前面連結シート３３ｂと、前面化粧シート３１ｂとを重畳して接合することで構成する。さらに、図６であれば、ハシゴ右側面に対応するシート体は、ハシゴ右側面ベースシート４２ａと、ハシゴ右側面連結シート４３ａと、ハシゴ右側面化粧シート４１ａとを重畳して接合することで構成する。
【００５７】
このように、各三枚のシートを各々重畳して接合することで、各シート体を構成する。
【００５８】
こうして構成した各シート体は、立体パズルの遊戯者によって、各化粧シート３１，４１の模様を見定められ、組み付け位置を推測されながら、「消防車」Ｖとして組み立てられる。例えば、車体下部の模様を有するシート体から順番に組み立てられ、徐々に消防車Ｖとして組み立てられていく。
【００５９】
図７は、ハシゴ部分Ｂのパズルが組み立てられた状態で、車体部分Ｃの右側面のシート体５と後部上面のシート体６とが、車体部分Ｃに組み付けられる前の状態を示したものである。
【００６０】
この図７の状態から、図８に示すように、後部上面のシート体６を、所定の対応部分に組み付ける。このとき、車体部分Ｃの突出部１４…（図７参照）を、後部上面のシート体６周縁の没入部２４に嵌合することにより、後部上面のシート体６と周辺のシート体７…とを結合する。
【００６１】
この突出部１４…は、後部上面のシート体６に対して、車体部分Ｃの前方、後方及び側方の三方から延びて嵌合されるため、後部上面のシート体６をその位置で確実に保持することができる。また、突出部１４も紙で構成されて容易に変形させることができるため、没入部２４に嵌合しにくい場合であっても、突出部１４を変形させて容易に嵌合を行うことができる。
【００６２】
次に、図９に示すように、右側面のシート体５を所定の対応部分に組み付ける。このときも、右側面のシート体５の突出部１４を、周辺のシート体６，７，８の没入部２４に嵌合することで、右側面のシート体５を周辺のシート体６，７，８に結合する。
【００６３】
この右側面のシート体５の突出部１４も、紙で構成していることから、突出部１４を嵌合方向に容易に折り曲げて、組み付けを行うことができる。
【００６４】
こうして、車体部分Ｃのパズルを組み立てた後、図１０に示すように、ハシゴ部分Ｂから延びる突出部１４を、車体部分Ｃの後方の没入部２４に嵌合することで、車体部分Ｃにハシゴ部分Ｂを連結する。そして、ハシゴ部分Ｂを反転させ、車体部分Ｃの上方に積載することで、図１１に示すように、消防車Ｖとしての立体パズルが完成する。
【００６５】
このような、組み付け手順で各シート体を組み立てていくことで、遊戯者は、紙製のシート体で、立体パズルを楽しむことができる。
【００６６】
以上のように、本実施形態では、紙製のシート体をパズルのピースとして使用し、立体パズル構造として構成するにあたり、一方のシート体５の凸状の突出部１４を、他方のシート体６，７，８の化粧シート３１、ベースシート３２、連結シート３３の没入部２４で囲まれる空間に差し込むことで、その全周囲（四方位置）を支持させることができる。
【００６７】
よって、シート体を立体パズルとして組み立てた際の結合強度を、確実に高めることができる。
【００６８】
また、凸状の突出部１４と凹状の没入部２４は、各シート体を組み立てた状態で、化粧シート３１，４１によって完全に覆われるため、外部に露出することがなく、外観を損ねることもない。
【００６９】
また、本実施形態では、凸状の突出部１４の形状を、矩形形状として構成しているため、摩擦力を最大限確保でき、適切に嵌合による結合力を高めることができる。
【００７０】
また、本実施形態では、各シート３１，３２，３３，４１，４２，４３が紙製であるため、突出部１４を容易に折り曲げ、形状を維持することができ、また、表面の摩擦力も適切に発生させることができる。
【００７１】
このため、各シート体を立体パズルのピースとして組み立てる際に、差し込み位置や角度を自由に変更して組み付けを行うことができ、また、組み立てた後も、嵌合位置から容易に外れるのを防止できる。
【００７２】
よって、立体パズルとしての組み立て性を向上でき、組み立て完成後の結合強度も高めることができる。
【００７３】
また、本実施形態では、連結シート３３，３４の突出部１４や没入部２４を、シート体の各辺に形成することで、シート体の各辺が隣接するシート体と確実に結合する。
【００７４】
このため、全体のシート体の結合強度が高まり、全体として、完成した際の立体パズルの剛性が高まることになる。
【００７５】
よって、立体パズルの組み立て完成時の剛性をより高めることができる。
【００７６】
なお、立体パズルを組み立て完成後、例えば、貯金箱として使用するような場合には、敢えて突出部１４を設けずに、その部分を、硬貨の投入口として利用してもよい。
【００７７】
ところで、この実施形態では、全て同一の厚みの紙Ｐで、各シート３１，３２，３３，４１，４２，４３を切り出すようにしているが、他の実施形態として、ベースシートのみを他のシートよりも厚い紙で構成してもよい。
【００７８】
この場合には、ベースシートの剛性が、他のシートの剛性よりも高まり、ベースシートの基盤としての働きがより高まることになる。
【００７９】
このため、各シート体の面剛性がさらに高くなり、立体パズルの面剛性を高めることができる。
【００８０】
よって、紙製のシート体で立体パズルのピースを構成したとしても、立体パズルの全体剛性を高めることができる。
【００８１】
なお、連結シート３３，４３に設ける突出部１４や没入部２４については、その位置、大きさ、形状、又は個数を、ピース毎に異ならせてもよい。
【００８２】
この場合は、化粧シート３１，４１の模様で組み付け位置の区別のつかないものがあっても、ためしに結合しようとした際に、連結できないか、連結した辺がズレるため、遊戯者が間違った連結を容易に認識できるといった効果が得られる。
【００８３】
また、前述の立体パズル構造の概念構造では、凸状シート体１と凹状シート体２で説明したが、一つのシート体に突出部１４と没入部２４を共に有するピースがあってもよい。
【００８４】
その他、前述の実施形態では、シート体を三枚のシートを重畳して構成するようにしているが、本発明は、この三枚に限定されるものではなく、四枚以上のシートを重畳するように構成してもよい。
【００８５】
さらに、各シートの素材も「紙製」に限定されるものではなく、ポリエチレン・ペレフタレート（ＰＥＴ）等の樹脂製シートや、革製シート、さらには剛性を高めた布製シート、木材等の繊維製シート、さらには金属製シート等であってもよい。
【００８６】
加えて、各シートの形状も平面形状に限定されるものではなく、凹凸を有する曲面形状であってもよい。
【００８７】
以上、この発明の構成と、前述の実施形態との対応において、
この発明の第一シート部材は、実施形態の化粧シート１１，２１，３１，４１に対応し、
以下、同様に
第二シート部材は、ベースシート１２，２２，３２，４２に対応し、
第三シート部材は、連結シート１３，２３，３３，４３に対応し、
凸部は、突出部１４に対応し、
凹部は、没入部２４に対応するも、
この発明は、前述の実施形態に限定されるものではなく、あらゆる立体パズル構造に適用する実施形態を含むものである。
【図面の簡単な説明】
【００８８】
【図１】凸状シート体の組み立て図。
【図２】凹状シート体の組み立て図。
【図３】凸状シート体と凹状シート体の組み合わせ説明図。
【図４】車体部分のシート体を構成するシートの第一の全体図。
【図５】車体部分のシート体を構成するシートの第二の全体図。
【図６】ハシゴ部分のシート体を構成するシートの全体図。
【図７】パズルの組み立て手順の一部を示した第一の斜視図。
【図８】パズルの組み立て手順の一部を示した第二の斜視図。
【図９】パズルの組み立て手順の一部を示した第三の斜視図。
【図１０】パズルの組み立て手順の一部を示した第四の斜視図。
【図１１】パズルの組み立て手順の一部を示した第五の斜視図（完成斜視図）。
【符号の説明】
【００８９】
１…凸状シート体
２…凹状シート体
５，６，７，８…シート体
１１，２１，３１，４１…化粧シート（第一シート部材）
１２，２２，３２，４２…ベースシート（第二シート部材）
１３，２３，３３，４３…連結シート（第三シート部材）
１４…突出部（凸部）
２４…没入部（凹部）
【図１】
2006320390.tif 000003
【図２】
2006320390.tif 000004
【図３】
2006320390.tif 000005
【図４】
2006320390.tif 000006
【図５】
2006320390.tif 000007
【図６】
2006320390.tif 000008
【図７】
2006320390.tif 000009
【図８】
2006320390.tif 000010
【図９】
2006320390.tif 000011
【図１０】
2006320390.tif 000012
【図１１】
2006320390.tif 000013